(57)【要約】      （修正有）【課題】洗顔時における水道水の無駄をなくし、洗顔を行い易くし、かつ洗顔時に洗顔に用いた水が洗面器から外部に飛散することがない水栓装置を提供する。【解決手段】導水側吐水管の水栓器本体に対する連結部、中間吐水管の導水側吐水管に対する連結部及び吐水側吐水管の中間吐水管に対する連結部のいずれもが３６０°回転可能とされて、吐水側吐水管の吐水口が洗面器の貯水部内において上方に向けて配設可能とされる。【選択図】図２
0003161181.tif 000002
【実用新案登録請求の範囲】
【請求項１】
洗顔する水を貯水する貯水部を備えた洗面器と、該洗面器に取り付けられた水栓器具とから構成された水栓装置において、前記水栓器は、水栓器本体、該水栓器本体に取り付けられ、水道源に接続された吐水管及び吐水管を流れる水道水の通水と遮断を行う切り替え手段から構成され、
前記吐水管が、前記水栓器本体に取り付けられ、曲り部を有する導水側吐水管、該導水側吐水管に接続され、曲り部を有する中間吐水管及び該中間吐水管に接続され、曲り部を有する吐水側吐水管から構成され、前記導水側吐水管の前記水栓器本体に対する連結部、前記中間吐水管の前記導水側吐水管に対する連結部及び前記吐水側吐水管の前記中間吐水管に対する連結部のいずれもが３６０°回転可能とされて、前記吐水側吐水管の吐水口が前記洗面器の貯水部内において上方に向けて配設可能とされること
を特徴とする水栓装置。
【考案の詳細な説明】
【技術分野】
【０００１】
本考案は、水栓装置に関する。
【背景技術】
【０００２】
水栓器具は、洗顔する水を貯水する貯水部（シンク）を備えた洗面器と、この洗面器に取り付けられた水栓器具とから構成される。
【０００３】
水栓器は、水栓器本体、この水栓器本体に取り付けられ、水導源に接続された吐水管及び吐水管を流れる水道水の通水と遮断を行う切り替え手段から構成される。
【０００４】
吐水管の吐水口からは、洗面器の貯水部に向けて下方向に向けて吐水がなされる。
【０００５】
また、吐水管に回転可能な接続部を設けて吐水管の吐水口から上方に向けて吐水させることが知られている。
【０００６】
特許文献１には、上下方向にスイングする導水管が設けられた水栓用吐水管が記載されている。
【先行技術文献】
【特許文献】
【０００７】
【特許文献１】実公平７−１６７７９号公報
【考案の開示】
【考案が解決しようとする課題】
【０００８】
吐水管の吐水（湯を含めてここでは吐水という。）を手の平に受けて洗顔を行う時に、手の平に貯った水で洗顔している間、水道水は洗顔に使用されずに無駄に流れることになる。多くの場合、洗顔に使用する水量より無駄に流してしまう水量の方が多い。
【０００９】
また、片方の手が不自由な人にとっては下方に向けて吐水される水では洗顔を容易に行うことができない。
【００１０】
また、家庭内にあっては、洗顔に用いた水は洗面器から完全に排水され、洗面器外に飛散されないようにすることが大切である。
【００１１】
本考案は、かかる点に鑑み洗顔時における水道水の無駄をなくし、洗顔を行い易くし、かつ洗顔時に洗顔に用いた水が洗面器から外部に飛散することがないようにした水栓装置を提供することを目的とする。
【課題を解決するための手段】
【００１２】
本考案は、洗顔する水を貯水する貯水部を備えた洗面器と、該洗面器に取り付けられた水栓器具とから構成された水栓装置において、前記水栓器は、水栓器本体、該水栓器本体に取り付けられ、水道源に接続された吐水管及び吐水管を流れる水道水の通水と遮断を行う切り替え手段から構成され、
前記吐水管が、前記水栓器本体に取り付けられ、曲り部を有する導水側吐水管、該導水側吐水管に接続され、曲り部を有する中間吐水管及び該中間吐水管に接続され、曲り部を有する吐水側吐水管から構成され、前記導水側吐水管の前記水栓器本体に対する連結部、前記中間吐水管の前記導水側吐水管に対する連結部及び前記吐水側吐水管の前記中間吐水管に対する連結部のいずれもが３６０°回転可能とされて、前記吐水側吐水管の吐水口が前記洗面器の貯水部内において上方に向けて配設可能とされること
を特徴とする水栓装置を提供する。
【考案の効果】
【００１３】
本考案は、上述したように３つの連結部がいずれも３６０°回転可能に構成されているので、一度下方に向いた吐水管が上方に向けられ、吐出口が上方に向けて開口する配設とすることができるために、吐水口が洗面器の貯水部内において上方に向けて開口させることができ、このため洗顔時における水道水の無駄をなくし、洗顔が行い易く、かつ洗顔時に洗顔を用いた水が洗面器から外部に飛散することがないようにした水栓装置を提供することができる。
【図面の簡単な説明】
【００１４】
【図１】本考案の実施例の構成を示す全体図。
【図２】本実施例の使用例を示す図。
【考案を実施するための最良の形態】
【００１５】
以下、本考案の実施例を図面に基づいて説明する。
【実施例】
【００１６】
図１は、本考案の実施例である水栓装置の構成を示す全体図である。
【００１７】
図１において、水栓装置１００は、洗面器１とこの洗面器１に取り付けられた水栓器具２とから構成される。
【００１８】
洗面器１は通常陶器製で前方部にへこみ状とされた貯水部３及び後方部に水栓器具２の取り付け部４から構成される。貯水部３の最下位部には排水栓５が設けられ、排水管（図示せず）へと連結される。
【００１９】
水栓器具２は、取り付け部４に取り付けられる水栓器本体１１、この水栓器本体１１に取り付けられ、水導源（図示せず）に接続された吐水管及び吐水管を流れる水道水の通水と遮断を行う切り替え手段１２から構成される。
【００２０】
吐水管は水栓器本体１１内に配設される部分（図示せず）と水栓器本体１１外に配設される吐水管１０からなる。
【００２１】
水道水の通水及び遮断を行う切り替え手段１２はよく知られているところであり、ここではそのハンドルを１２として示していて、詳細は図示しない。
【００２２】
吐水管１０は、導水側吐水管１３、中間吐水管１４及び吐水側吐水管１５から形成される。
【００２３】
導水側吐水管１３は、水栓器本体１１に取り付けられる連結部１６及び曲がり部（一部に直線部がある。）１７、中間吐水管１４は、導水側吐水管１３に取り付けられる連結部１８及び曲がり部１９、吐水側吐水管１５は中間吐水管１４に取り付けられる連結部２０、曲がり部２１及び吐水口２２を備える。
【００２４】
このような構成において、導水側吐水管１３の水栓器本体１１に対する連結部１６、中間吐水管１４の導水側吐水管１３に対する連結部１８、吐水側吐水管１５の中間吐水管１４に対する連結部２０は、いずれも３６０°回転可能な構造とされる。図１において、導水側吐水管１３は垂直方向に３６０°回転し、中間吐水管１４は水平方向に３６０°回転し、吐水側吐水管１５は垂直方向に３６０°回転する。回転可能であるが指示された回転角度で静止する。
【００２５】
図２は、以上の構成、構造によって吐水管１０を洗面器１の貯水部３の内部に配設した状態を示す。
【００２６】
連結部１６、１８、２０の回転によって吐水管１３を貯水部３の外部に位置するようにして、また貯水部３の上面に位置するようにして、また吐出口２２をあらゆる角度を向くようにして配設することができる。そして、図２には、連結部１６、１８、２０の回転によって吐水管１０を全体的に洗面器１の貯水部３の内部に真すぐに下方を向かせ、かつ吐出側吐出管１５を上方に向かせ、吐水口２２を上方に向かせて開口させている。従って、この構成によれば、吐水口２２が上方に向いた時に、吐水口２２を貯水部３の最下位配置とすることができる。
【００２７】
このような配置でハンドル１２を操作して吐水させると、水道水は吐水口２２から上方に向けて噴出することになる。この状態では、洗顔時に手のひらで水をくむ必要はなく、水道水を直接顔に当てて吐水で連続状態で洗顔することができる。従って、洗顔に際しての無駄がなく、洗顔がし易いものとなる。片方の手でも洗顔を効率よく行うことができる。うがいする時のコップ等を不要とし、洗顔も容易に行うことができる。しかも吐出口２２が上向きとなった時に、図２に示した位置となるために洗面器１の貯水部３から外部に飛散することを防止することができる。
【００２８】
導水側吐水管１３は、導水口を既に市販されている水栓器具の導出口に合わせることによって容易に取り付けることができる。
【００２９】
また、吐出口２２にはシャワー形成器などを取り付けることも容易である。
【符号の説明】
【００３０】
１…洗面器、２…水洗器具、３…貯水部、１０…吐水管、１１…水栓器本体、１２…切り替え手段、１３…導水側吐水管、１４…中間吐水管、１５…吐水側吐水管、１６、１８、２０…連結部、１７、１９、２１…曲がり部、２２…吐水口、１００…水栓装置。
【図１】
0003161181.tif 000003
【図２】
0003161181.tif 000004